(57)【要約】【課題】  樹脂成形品に部分被覆を施す際に、被覆部と被覆部しない部分の境界が明確で、被覆部と被覆しない部分との境界に後加工の必要がない型内被覆成形方法とその成形方法に用いるに好適な金型を提供する。【解決手段】  金型キャビティで成形した樹脂成形品に部分的に被覆を施すための塗料注入機を備えて、樹脂成形品の被覆部分と被覆しない部分の境界に充填した樹脂の冷却による収縮量を被覆部分に充填した樹脂の冷却による収縮量より小さくする低収縮部を有した型内被覆成形用金型を用いて、金型キャビティに樹脂を射出充填した後、低収縮部に充填した樹脂の冷却による収縮にあわせて金型を型締めすることにより、低収縮部の金型キャビティ部分に空隙を生じさせることなく、該被覆部分の金型キャビティ部分に空隙を形成し、該空隙に塗料を注入することにより樹脂成形品の表面を塗料で部分的に被覆する。【選択図】          図１
2005125595.tif 000002
【特許請求の範囲】
【請求項１】
固定型と可動型により形成される金型キャビティを有し、該金型キャビティで成形した樹脂成形品に部分的に被覆を施すための塗料注入機を備え、該樹脂成形品の被覆部分と被覆しない部分の境界に充填した樹脂の冷却による収縮量を被覆部分に充填した樹脂の冷却による収縮量より小さくする低収縮部を金型キャビティに形成した型内被覆成形用金型を用いて、
該金型キャビティに樹脂を射出充填した後、該低収縮部に充填した樹脂の冷却による収縮にあわせて可動型を固定型方向に前進させることにより、該低収縮部の金型キャビティ部分に空隙を生じさせることなく、該被覆部分の金型キャビティ部分に充填した樹脂の圧力を該低収縮部に充填した樹脂の圧力より低下させ、該樹脂の圧力が低下した被覆部分の金型キャビティ部分に塗料を注入することにより樹脂成形品の表面を塗料で部分的に被覆する型内被覆成形方法。
【請求項２】
固定型と可動型により形成される金型キャビティを有し、該金型キャビティで成形した樹脂成形品に部分的に被覆を施すための塗料注入機を備え、該樹脂成形品の被覆部分と被覆しない部分の境界に充填した樹脂の冷却による収縮量を被覆部分に充填した樹脂の冷却による収縮量より小さくする低収縮部を金型キャビティに形成した型内被覆成形用金型を用いて、
該金型キャビティに樹脂を射出充填した後、該低収縮部に充填した樹脂の冷却による収縮にあわせて可動型を固定型方向に前進させることにより、該低収縮部の金型キャビティ部分に空隙を生じさせることなく、該被覆部分の金型キャビティ部分に空隙を形成し、該空隙に塗料を注入することにより樹脂成形品の表面を塗料で部分的に被覆する型内被覆成形方法。
【請求項３】
前記被覆部分と被覆しない部分の境界を形成する金型キャビティ部分の金型温度を、被覆部分を形成する金型キャビティ部分の金型温度より低くすることによって、前記低収縮部を形成する請求項１又は請求項２記載の型内被覆成形方法。
【請求項４】
前記被覆部分と被覆しない部分の境界を形成する金型キャビティ部分の金型材質を、被覆部分を形成する金型キャビティ部分の金型材質より熱伝導率の高い材質で形成することによって前記低収縮部を形成する請求項１又は請求項２記載の型内被覆成形方法。
【請求項５】
前記被覆部分と被覆しない部分の境界に薄肉部を形成することによって低収縮部を形成する請求項１又は請求項２記載の型内被覆成形方法。
【請求項６】
固定型と可動型により形成される金型キャビティを有し、該金型キャビティで成形した樹脂成形品に部分的に被覆を施すための塗料注入機を備え、該樹脂成形品の被覆部分と被覆しない部分の境界に充填した樹脂の冷却による収縮量を被覆部分に充填した樹脂の冷却による収縮量より小さくする低収縮部を金型キャビティに形成した型内被覆成形用金型であって、該金型キャビティに樹脂を射出充填した後、該低収縮部に充填した樹脂の冷却による収縮にあわせて可動型を固定型方向に前進させることにより、該低収縮部の金型キャビティ部分に空隙を生じさせることなく、該被覆部分の金型キャビティ部分に充填した樹脂の圧力を該低収縮部に充填した樹脂の圧力より低下させ、該樹脂の圧力が低下した被覆部分の金型キャビティ部分に塗料を注入することにより樹脂成形品の表面を塗料で部分的に被覆する型内被覆成形金型。
【発明の詳細な説明】
【技術分野】
【０００１】
本発明は、金型内で樹脂成形品を成形した後、樹脂成形品を金型から取り出さないまま塗料によって被覆（塗装と称することもある）する型内被覆成形方法とその成形方法に用いる金型に関する。
【背景技術】
【０００２】
樹脂成形品の装飾性を高める手段の一つとして、樹脂成形品の表面に塗料を塗装する方法がある。従来から行われている塗装方法は、金型内で射出成形した樹脂成形品を金型から取り出した後、取り出した樹脂成形品の表面にスプレー法や浸漬法等によって塗料の塗布を行う方法が一般的である。塗布された塗料は、硬化することによって、強固な被覆となり成形品の表面を被覆して加飾するとともに保護する。
【０００３】
そして、近年では前記塗装方法の工程簡略化を目的として、樹脂成形品の成形と塗膜による被覆を同一の金型で行う型内被覆成形方法（インモールドコーティング方法と称されることもある）が提案されている。
【０００４】
前記型内被覆成形方法の１例を図１４のフローチャートを用いて以下簡略に説明する。
図１４に示した従来の型内被覆成形方法は、まず最初に金型内で熱可塑性樹脂を基材とする樹脂成形品を成形し、その後、金型をわずかに開いた状態（金型微開）とする。
前記工程で金型をわずかに開くと、金型内で成形した樹脂成形品と金型キャビティ面との間に隙間が生じるので、該隙間に塗料注入機を使用して塗料を注入する。そして、塗料注入後に、金型を再度型締することにより樹脂成形品の表面に塗料を均一に拡張させて硬化させる。塗料が硬化した後に、金型を開いて塗料で被覆した樹脂成形品を金型より取り出す。
【０００５】
前記従来の型内被覆成形方法によれば、熱可塑性樹脂の成形と被覆を同一の金型内で行うことができるため、スプレー法や浸漬法等により塗料の塗布を行う塗装方法と比較して、工程の簡略化によるコストダウンが可能である。
また、前記従来の型内被覆成形方法は、金型内で塗料を被覆するので浮遊している塵が硬化する以前の塗膜に付着して不良となる等といったことがほとんどなく、高い品質の製品を得ることができる。
そのため、特に外観に対して高い品質が要求される自動車用の部品、例えば、バンパー、ドア、ドアミラーカバー、フェンダー等多くの部品には、前記型内被覆成形方法の利用が検討され始めている。
【０００６】
前記型内被覆成形方法について、近年数多くの提案がなされており、又型内被覆成形方法に用いるに好適な金型として様々な構造の金型が提案されているが、その多くは、樹脂成形品の片側全面に被覆を施すことを前提として発案されたものである。
しかし、実際に型内被覆成形を行なう場合には、必要な部位にのみ部分的に被覆（部分塗装と称することもある）を施せば良い場合が多く、部分被覆を前提とした型内被覆成形方法と金型構造の開発も一部になされている。部分塗装ができる型内被覆成形方法としては、特許文献１に例を示めすような技術が公知である。
【０００７】
【特許文献１】特開平６−３２８５０３公報
【０００８】
特許文献１に開示された型内被覆成形方法によれば、樹脂成形品の被覆面側に突起を設けて塗料の流動を遮断することによって樹脂成形品の表面に部分塗装を再現性よく安定して実施することができ、特許文献１に開示された型内被覆塗装方法によって得られる部分被覆成形品は、被覆部分と非被覆部分の境界が明確で優れた品質のものである。
また、特許文献１に示した例に限らず、部分塗装を前提とした型内被覆成形用金型は、樹脂成形品の塗装する側の面の被覆部と被覆部でない部分の境界に、塗料の流動を遮断するための突起を設けることが一般的である。
【発明の開示】
【発明が解決しようとする課題】
【０００９】
しかしながら、樹脂成形品の部分塗装のために設けた前述の突起は、成形後に余分なものとなるため、切削処理する必要がある。
成形後の後加工はコスト上昇の要因となるため、樹脂成形品に後加工の必要がない型内被覆成形方法とそれに用いるに好適な金型の開発が望まれていた。
本発明は、上記問題点に鑑みてなされたものであり、被覆部と被覆部でない部分の境界が明確で、かつ被覆部と被覆しない部分との境界に後加工の必要がない型内被覆成形方法とその成形方法に用いるに好適な金型を提供するものである。
【課題を解決するための手段】
【００１０】
上記の課題を解決するため、本発明による型内被覆成形方法は、
（１）  固定型と可動型により形成される金型キャビティを有し、該金型キャビティで成形した樹脂成形品に部分的に被覆を施すための塗料注入機を備え、該樹脂成形品の被覆部分と被覆しない部分の境界に充填した樹脂の冷却による収縮量を被覆部分に充填した樹脂の冷却による収縮量より小さくする低収縮部を金型キャビティに形成した型内被覆成形用金型を用いて、該金型キャビティに樹脂を射出充填した後、該低収縮部に充填した樹脂の冷却による収縮にあわせて可動型を固定型方向に前進させることにより、該低収縮部の金型キャビティ部分に空隙を生じさせることなく、該被覆部分の金型キャビティ部分に充填した樹脂の圧力を該低収縮部に充填した樹脂の圧力より低下させ、該樹脂の圧力が低下した被覆部分の金型キャビティ部分に塗料を注入することにより樹脂成形品の表面を塗料で部分的に被覆した。
【００１１】
（２）  固定型と可動型により形成される金型キャビティを有し、該金型キャビティで成形した樹脂成形品に部分的に被覆を施すための塗料注入機を備え、該樹脂成形品の被覆部分と被覆しない部分の境界に充填した樹脂の冷却による収縮量を被覆部分に充填した樹脂の冷却による収縮量より小さくする低収縮部を金型キャビティに形成した型内被覆成形用金型を用いて、該金型キャビティに樹脂を射出充填した後、該低収縮部に充填した樹脂の冷却による収縮にあわせて可動型を固定型方向に前進させることにより、該低収縮部の金型キャビティ部分に空隙を生じさせることなく、該被覆部分の金型キャビティ部分に空隙を形成し、該空隙に塗料を注入することにより樹脂成形品の表面を塗料で部分的に被覆した。
【００１２】
（３）（１）又は（２）に記載の型内被覆成形方法において、前記被覆部分と被覆しない部分の境界を形成する金型キャビティ部分の金型温度を、被覆部分を形成する金型キャビティ部分の金型温度より低くすることによって、前記低収縮部を形成した。
これは、低温部の冷却速度が高温部より早くなることを利用しているものであり、射出充填後の型締動作によって、高温部（高圧部）より低温部（収縮による低圧部）へ樹脂を流動させ、低温部での樹脂の流動がほぼ停止した後に高温部が冷却されることによって低温部では収縮が小さく高温部では収縮が大きくなるようにして、前記低収縮部を形成するものである。
【００１３】
（４）（１）又は（２）に記載の型内被覆成形方法において、前記被覆部分と被覆しない部分の境界を形成する金型キャビティ部分の金型材質を、被覆部分を形成する金型キャビティ部分の金型材質より熱伝導率の高い材質で形成することによって前記低収縮部を形成した。
これは、高熱伝導部の冷却速度が低熱伝導部の冷却速度より早くなることを利用しているものであり、射出充填後の型締動作によって、低熱伝導部（高温部＝高圧部）より高熱伝導部（低温部＝収縮による低圧部）へ樹脂を流動させ、高熱伝導部（低温部）での樹脂の流動がほぼ停止した後に低熱伝導部（高温部）が冷却されることによって高熱伝導部では収縮が小さく低熱伝導部では収縮が大きくなるようにして、前記低収縮部を形成するものである。
【００１４】
（５）  （１）又は（２）に記載の型内被覆成形方法において、前記被覆部分と被覆しない部分の境界に薄肉部を形成することによって低収縮部を形成した。
これは、薄肉部の冷却速度が厚肉部の冷却速度より早くなることを利用しているものであり、射出充填後の型締動作によって、厚肉部（高温部＝高圧部）より薄肉部（低温部＝収縮による低圧部）へ樹脂を流動させ、薄肉部（低温部）での樹脂の流動がほぼ停止した後に厚肉部（高温部）が冷却されることによって薄肉部では収縮が小さく厚肉部では収縮が大きくなるようにして、前記低収縮部を形成するものである。
【００１５】
また、本発明による型内被覆成形金型は、
（６）  固定型と可動型により形成される金型キャビティを有し、該金型キャビティで成形した樹脂成形品に部分的に被覆を施すための塗料注入機を備え、該樹脂成形品の被覆部分と被覆しない部分の境界に充填した樹脂の冷却による収縮量を、被覆部分に充填した樹脂の冷却による収縮量より小さくする低収縮部を金型キャビティに形成した型内被覆成形用金型であって、該金型キャビティに樹脂を射出充填した後、該低収縮部に充填した樹脂の冷却による収縮にあわせて可動型を固定型方向に前進させることにより、該低収縮部の金型キャビティ部分に空隙を生じさせることなく、該被覆部分の金型キャビティ部分に充填した樹脂の圧力を該低収縮部に充填した樹脂の圧力より低下させ、該樹脂の圧力が低下した被覆部分の金型キャビティ部分に塗料を注入することにより樹脂成形品の表面を塗料で部分的に被覆する構成とした。
【発明の効果】
【００１６】
本発明を用いて製造した型内被覆成形品は、被覆部分と被覆しない部分の境界が明確でその再現性が良く、成形後の境界部に切削処理等といった後加工の必要がないので、従来の型内被覆成形方法を用いて部分被覆を行なう際の課題としてある後加工によるコスト上昇という問題を抑えることができる。
【発明を実施するための最良の形態】
【００１７】
以下、図面に基づき本発明による実施形態の好ましい例を説明する。
図１〜図１１は本発明の実施形態に係わり、図１〜図５は低収縮部として樹脂成形品に薄肉部を形成した発明の実施形態を示すものであって、図１は型内被覆成形用金型の概略の構造を示した断面図であり、被覆部分を形成する金型キャビティ面と対向する金型キャビティ面に凹部を加工して低収縮部を形成した場合を示している。図２は型内被覆成形方法の工程を説明するために金型挙動を概念的に示した図である。図３及び図４は被覆部と被覆しない部分の境界にある樹脂と塗料の挙動を示す概念図であって、図３は図１の金型を使用した場合を示しており、図４は他の実施形態（被覆部分と被覆しない部分の境界を形成する金型キャビティ面と対向する金型キャビティ面に凸部を配して低収縮部を形成した場合）を示している。
また、図５は図１に示す金型の固定型を可動型方向から見た平面図とその要部断面図であり、図６は図４に示す金型の固定型を可動型方向から見た平面図とその要部断面図である。図７は被覆部分と被覆しない部分の境界を形成する金型キャビティ面と対向する金型キャビティ面に凸部を配して低収縮部を形成した場合を示している。
【００１８】
図８〜図１３は、本発明に係る他の実施形態の型内被覆成形用金型について、その構造の概略を説明する断面図であって、図８は樹脂成形品の被覆部分を形成する金型キャビティ部分に金型温度を高く維持する入れ子を備えた場合を示しており、図９は樹脂成形品の被覆部分と被覆しない部分の境界を形成する金型キャビティ部分に金型温度を低く維持する入れ子を備えた場合を示している。
また、図１０は樹脂成形品の被覆部分を形成する金型キャビティ部分を熱伝導率の小さい金属で形成した入れ子を配した場合を示し、図１１は樹脂成形品の被覆部分と被覆しない部分の境界を形成する金型キャビティに熱伝導率の大きな金属で形成した入れ子を配した場合を示している。
図１２は樹脂成形品の被覆部分と被覆しない部分の境界を形成する金型キャビティに断熱材を配した場合を示し、図１３は樹脂成形品の被覆部分と被覆しない部分の境界を形成する金型キャビティに空隙を形成した場合を示している。
【００１９】
以下、本発明による型内被覆成形用金型１００（金型１００と称することもある）の好ましい１例について、その構造を図１〜図３及び図５を用いて詳細に説明する。
本実施形態に用いる金型１００は、可動型１０、固定型２０、及び塗料注入機５０等から構成されており、可動型１０を雌型とし、固定型２０を雄型としている。
そして、雄型である固定型２０と、雌型である可動型１０とがくいきり構造の嵌合部で嵌め合わされ、該嵌め合わされた状態で、その内部に金型キャビティ１５を形成する構造となっている。
【００２０】
ここで、該くいきり構造の嵌合部（くいきり部と称することもある）は金型キャビティ１５の全周にわたって形成されており、金型１００はくいきり部にて金型キャビティ１５に充填した樹脂が、金型１００から漏れ出すことを防止することができる構造となっている。なお、本発明で述べるくいきり構造の金型とは、その構成の説明から明らかなように、一般的にシェアエッジ構造と称されている金型構造も含むものである。
【００２１】
以下、図１に示した凹部２３の配置と形状についてその詳細を説明する。
図１に示した金型１００で成形される樹脂成形品は、略正方形の平板状であり、図５にその概略の形状を示したように、中心付近にゲート部８を配したセンターゲートの金型１００である。また、金型１００は、樹脂成形品の表面の一部に長方形の被覆を施すことを目的として製作された金型１００であり、塗料注入口５１と対向する位置にある固定型２０側の金型キャビティ面に凹部２３を形成した構成となっている。
なお、図１ではゲート部８の上方に被覆部があるため、ゲート部８の上方に凹部２３と塗料注入口５１を形成している。
【００２２】
ここで、凹部２３を形成したことにより、凹部２３以外の部分で形成される樹脂成形品の肉厚は、凹部２３で形成される樹脂成形品の肉厚に比較して薄肉となる。
前記薄肉は、金型キャビティ１５内で成形した樹脂成形品の被覆部分と被覆しない部分の境界を含んで被覆しない部分のほぼ全域に渡る。そして、前記薄肉の部分に充填した樹脂の収縮量は、厚肉の被覆部分に充填した樹脂の冷却による収縮量より小さくなる。
すなわち、図１に示した金型１００の実施形態は、樹脂成形品の被覆部分を形成する金型キャビティ部分に凹部２３を形成することによって、被覆部分と被覆しない部分の境界に薄肉部を形成して、低収縮部Ｓ１を設けたものである。
詳細を後述するが、図１に示した金型１００の実施形態は、凹部２３に充填した樹脂と凹部２３以外に充填した樹脂の冷却による収縮量の差を利用して樹脂成形品の表面を流れる塗料の流動を遮断することにより、凹部２３と対向する位置にある可動型１０の金型キャビティ面で形成した樹脂成形品の表面に対して長方形の部分被覆を施すことができる。
【００２３】
なお、前述したように図１に示した金型１００に凹部２３を形成するのは、樹脂成形品の被覆部分と被覆しない部分との境界に、被覆部分の樹脂成形品より肉厚が小さな薄肉部を、低収縮部Ｓ１として設けるためである。
図５の要部断面図（Ｂ−Ｂ断面図）から明らかなように、凹部２３を設けたことによって、被覆部分と被覆しない部分の境界部分にある樹脂成形品の肉厚は、被覆部分の肉厚よりｄ１だけ薄くなる。
ここで、ｄ１寸法があまり小さすぎると樹脂の冷却による収縮量の差がつかず被覆部分と被覆しない部分の境界が明確にならない場合が発生する可能性がある。
被覆部分と被覆しない部分の境界を明確にするために最小限必要な寸法ｄ１は、塗料の種類、被覆厚み、樹脂成形品の形状、ゲート位置、塗料注入圧力、また樹脂の種類などに左右されるが、実際に型内被覆成形方法を実施してトライアンドエラーで求めることができる。なお、被覆部分と被覆しない部分の境界を明確にするために必要なｄ１寸法は、概ね、ｄ１≧０．５ｍｍであることが好ましく、さらにはｄ１≧１ｍｍが好ましく、ｄ１≧２ｍｍであることが特に好ましい。また、図１に示した実施形態においては、被覆しない部分の肉厚２．５ｍｍに対してｄ１を１．５ｍｍとした。
また、被覆部分と被覆しない部分の境界を明確にするために最小限必要な寸法ｗ１は、塗料の種類、被覆厚み、樹脂成形品の形状、ゲート位置、塗料注入圧力などに左右されるため、前記ｄ１寸法と同様に実際に型内被覆成形方法を実施してトライアンドエラーで求めることもできる。また、被覆部分と被覆しない部分の境界を明確にするために必要なｗ１寸法は、概ね、ｗ１≧５ｍｍあれば良い。
なお、前記ｄ１又ｗ１の寸法は、高収縮樹脂では小さくし、低収縮樹脂では大きくすることが好ましく、例えばＰＰ，ＰＥＴ，又ＰＡ等の結晶性樹脂は高収縮樹脂と判断して前記ｄ１又ｗ１の寸法を小さくし、ＡＢＳ、又ＰＣ等の非晶性樹脂は低収縮樹脂と判断して前記ｄ１又ｗ１の寸法を大きくすることが望ましい。
【００２４】
次に、塗料注入機５０について簡単に説明する。
本実施の形態における塗料注入機５０は、可動型１０に取り付けられて、可動型１０の金型キャビティ面に配設された塗料注入口５１より金型キャビティ１５内に塗料を注入することができるよう構成されている。
また、塗料注入機５０の塗料注入口５１には図示しないバルブが取りつけられており、基材の射出成形時に、該バルブを閉じておくことによって金型キャビティ１５内に射出した樹脂が塗料注入口５１より塗料注入機５０内に進入することを防止している。
【００２５】
そして、本実施の形態における塗料注入機５０は、図示しない駆動装置によって駆動されて、塗料注入機５０の中に供給された塗料を、所望する量だけ正確に可動型１０の金型キャビティ面より注入することができるよう構成されている。
【００２６】
以下、図２を用いて本発明に係る型内被覆成形方法の第１実施形態を説明する。
第１の実施形態は、樹脂の射出充填時に射出プレス成形方法を利用した方法である。
まず、第１の工程として、図示しない型締装置により金型１００を型閉し、図２（２）に示すように、固定型２０と可動型１０のくいきり部で嵌合した状態にする。
なお、固定型２０と可動型１０とで形成する金型キャビティ１５は、樹脂の射出充填時にプレス動作ができるように、少なくとも所望する樹脂成形品の肉厚より略樹脂の冷却収縮分以上は肉厚が大きい金型キャビティ１５とする。
また、固定型２０と可動型１０は、後述する後の工程で、可動型１０が固定型２０方向に前進して互いに近接する必要があるため、くいきり部の摺動代を残した状態である。
【００２７】
第１の工程で金型１００を型閉した後、第２の工程として、図２（３）に示したように基材である熱可塑性樹脂を金型内に射出（本実施の形態においては、基材としてＡＢＳ樹脂：宇部サイコン株式会社製  ＵＴ２０Ｂ）する。
なお、射出充填する樹脂の量は、所望する樹脂成形品の寸法に相当する樹脂の容積に略樹脂の冷却収縮分の容積を多めに加えた量であって、前述した大き目の金型キャビティ１５の容積よりわずかに少ない樹脂の量である。
【００２８】
樹脂を射出充填完了後、可動型１０を固定型２０側の方向に移動させて、プレスの工程に入り、第３の工程に移る。
ここで、基材をある程度（後述する塗料の注入圧力に耐えうる程度）まで冷却させながら、金型１００を徐々に型締めすることにより、図２（４）に示すように可動型１０を固定型２０方向に前進させる。
ここで、樹脂成形品の肉厚が被覆部分（凹部２３）と被覆しない部分（凹部以外）とで異なることに起因して、被覆部分と被覆しない部分の樹脂の冷却収縮量に差異が生じ、被覆部分にわずかな空隙が発生する。
【００２９】
図３（３）にその様子を概念的に図示する。なお、図３は図２のＡ部に相当する部分を拡大したものである。
第３の工程で金型１００を型締めすることにより、冷却収縮に合わせて可動型１０が固定型２０方向に前進するが、その前進は、低収縮部Ｓ１として形成した肉厚が小さく冷却収縮量の小さな薄肉部に見合った距離だけであって、冷却収縮量の大きな被覆部（凹部２３）の肉厚に見合った距離を前進することはできない。そのため、冷却収縮量の大きな被覆部には、金型キャビティ面と樹脂成形品との間に空隙が生じる。
該空隙が生じた後、第４の工程に移り、図２（５）及び図３（４）に示すように塗料注入機５０により該空隙部分に塗料を注入する。
【００３０】
第１の実施形態においては、前記隙間を生じさせた後、塗料注入機５０によって塗料注入口５１から前記隙間に対して塗料を５ｍｌ（ミリリットル）注入した。
また、第１の実施形態で用いた金型で成形する成形品の被覆表面積は５００ｃｍ２であり、塗膜の厚みは０．１ｍｍ程度となる。また、塗料は、プラグラス＃８０００：赤（大日本塗料株式会社製）である。
【００３１】
空隙部分に注入された塗料は、図２（４）に示すように樹脂成形品の表面の一部を流れて、樹脂成形品を部分的に被覆する。
また、この際に被覆部分から被覆しない部分に塗料が流れ込もうとしても、低収縮部Ｓ１により、被覆しない部分には空隙が生じていないため、塗料の流動が遮断されて、被覆されない。
【００３２】
塗料を注入した後、隙間の中の塗料を硬化させて、樹脂成形品の表面の一部を塗料で被覆した後、金型１００を開くとともにエジェクタピン２５を作動させて、部分被覆した樹脂成形品を金型１００から取り出す。
本実施形態によれば、外観を構成する被覆部側の表面に外観を損う突起などがないので、成形後に加工の必要がなく、成形工程の簡略化がはかれる。
【００３３】
なお、前述した第４の工程において、被覆部と被覆しない部分との肉厚差であるｄ１が小さく、概略０．５ｍｍ以上から１ｍｍ未満の範囲にあるような場合には、塗料注入前に可動型１０を反固定型側にわずかに移動させることにより該空隙を広げることによって、部分被覆をより円滑に行なうことが可能である。
【００３４】
また、ｄ１が小さいため第３の工程で冷却収縮量の差が十分でなく、被覆部に空隙が生じなかった場合において、第４の工程で塗料の注入圧力を調整すれば、被覆部に塗料を流し込むことが可能である。
冷却収縮量の差が十分でなく、被覆部に空隙が生じなかった場合でも、被覆部の樹脂圧力は被覆しない部分の樹脂圧力に比較して大きく低下している。このような状況で、塗料を注入すると、塗料は圧力の低い部分を選択的に流れていき、被覆部分と被覆しない部分に境界を明確に形成して部分被覆することができる。
【００３５】
ただし、塗料を被覆部分に流すために必要な注入圧力は、塗料の種類、被覆厚み、樹脂成形品の形状、又ゲート位などに左右されるため、前記ｄ１寸法と同様に、実際に型内被覆成形方法を実施してトライアンドエラーで求めることが実務的である。
また、第１の実施形態による型内被覆成形方法は、樹脂の射出充填時に射出プレス成形方法を利用することにより、樹脂成形品に発生するひずみ等を低減させ、寸法精度の高い樹脂成形品を成形することができるので、薄い被覆を要求される型内被覆成形品に適した成形方法である。しかし、樹脂の射出充填時に射出プレス成形方法を利用せず、通常の射出充填を行なっても部分被覆は可能であって、それらの方法が本発明の適応の範囲であることは勿論である。
【００３６】
次ぎに本発明による型内被覆成形方法の第２の実施形態を、先に説明した実施形態と異なっている部分についてのみ説明する。
第２の実施形態は、樹脂の射出充填時に射出圧縮成形方法を利用した方法である。
まず、第１の工程として、図示しない型締装置により金型１００を型閉し、固定型２０と可動型１０くいきり部で嵌合した状態にする。この際に金型１００は、後述する樹脂の射出充填圧力により固定型と可動型の距離が離間する型締力で型締めする。
第１の工程で金型１００が型閉された後、第２の工程として、基材である熱可塑性樹脂を金型内に射出（本実施の形態においては、基材としてＡＢＳ樹脂：宇部サイコン株式会社製  ＵＴ２０Ｂ）する。
【００３７】
この型締め状態で形成した金型キャビティ１５に対して、樹脂の冷却収縮量分多めの量の樹脂を射出充填すると、固定型２０と可動型１０の距離は離間する。そして、樹脂が射出充填された直後の金型キャビティ容積は、所望する樹脂成形品の大きさよりその肉厚が樹脂成形品の冷却収縮分だけ大きくなるよう形成される。
また、固定型２０と可動型１０は、後述する後の工程で、可動型１０が固定型２０方向に前進して互いに近接する必要があるため、くいきり部の摺動代を残した状態である。
そして、樹脂の射出充填完了後、圧縮動作に入り、第３の工程に移る。
第２の実施形態における第３の工程以降は、前述した第１の実施形態と同様である。
第２の実施形態による型内被覆成形方法によれば、射出圧縮成形方法を利用することによって樹脂成形品に発生するひずみ等を低減させることができるので、第１の実施形態とほぼ同様な効果を奏することが可能である。
【００３８】
次ぎに本発明による型内被覆成形方法の第３の実施形態を、先に説明した実施形態と異なっている部分についてのみ説明する。第３の実施形態による型内被覆成形方法は、くいきり部を備えない金型に好適な実施形態である。
まず、第１の工程として、図示しない型締装置により、くいきり部を備えない金型を型締めする。ここで、図示しない金型は、金型割面がくいきり部を備えない以外は図１と同様な構造の金型である。
第１の工程で金型が型締めされた後、第２の工程として、所望する樹脂成形品の大きさに見あった大きさの金型キャビティに樹脂を射出充填充填（一次射出充填）する。
【００３９】
一次射出充填完了後において、一次射出充填した樹脂がスキン層を形成した後、可動型を反固定型方向に移動させて金型をわずかに開き、所望する樹脂成形品の肉厚より略樹脂の冷却収縮分程度の肉厚が大きい金型キャビティを形成する。
そして、所望する樹脂成形品の大きさに見あった大きさの金型キャビティに樹脂を射出充填充填（ニ次射出充填）する。
一次射出充填した樹脂がスキン層を形成した後に二次射出充填を行なった場合に、一次射出充填した樹脂のスキン層が強固なシール部材となって、パーティング面からの樹脂の漏れ出しにくくなるという効果を有する。
射出完了後、金型を再度型締めして、第３の工程に移る。第３の実施形態における以降の工程は、前述した第１の実施形態と同様である。
第３の実施形態は、くいきり部を備えず、パーティング面から樹脂や塗料が漏れ出しやすい構造の金型に用いるのに好適な方法である。
【００４０】
なお、本発明による型内被覆成形用金型は、前述した図１に示した金型１００に限るものではなく、樹脂成形品の被覆部分と被覆しない部分との境界に、被覆部分より冷却による収縮量が小さい部分として低収縮部を形成した金型であれば良い。
また、塗料の漏れ止め構造も、くいきり構造に限るものでなく、ゴムパッキンや、その他公知の漏れ止め手段等を利用したものであっても良い。
【００４１】
前述した金型１００以外に本発明に適用できる金型の１例をあげれば、例えば、図４、図６及び図７に示すような構造の金型１１０がある。
金型１１０を簡単に説明すると、可動型１０、固定型２０、及び塗料注入機５０等を備えており、固定型２０と可動型１０とがくいきり構造の嵌合部で嵌め合わされている構造の金型である。ここで、金型１１０は樹脂成形品の被覆部分と被覆しない部分との境界に被覆部分の樹脂成形品の肉厚より肉厚が小さい薄肉部を成形するための凸部２４を形成している。
【００４２】
以下、金型１１０に示した凸部２４の配置と形状についてその詳細を説明する。
金型１１０で成形される樹脂成形品は、図６に概略の形状を示したように略正方形の平板状であって、中心付近にゲート部８を配したセンターゲートの金型である。また、金型１１０は、図１に示した金型１００と同様に樹脂成形品の表面の一部に長方形の被覆を施すことを目的として製作された金型であり、樹脂成形品の被覆部分と被覆しない部分との境界部分の金型キャビティに凸部２４を形成している。
【００４３】
ここで、金型に凸部２４を形成するのは、樹脂成形品の被覆部分と被覆しない部分との境界に被覆部分の樹脂成形品の肉厚より肉厚が小さい薄肉部を形成して低収縮部Ｓ２を設けるためである。そして、金型１１０は、凸部２４により設けた低収縮部Ｓ２によって被覆部から被覆しない部分に流れる塗料の流動を遮断する。
図６から明らかなように、凸部２４によって、被覆しない部分の肉厚は、被覆部分の肉厚よりｄ２だけ薄くなっている。ｄ２寸法の詳細については省略するが、前述した金型１００と同様である。
【００４４】
なお、本発明で述べる薄肉部とは、樹脂成形品の金型型開閉方向（可動型１０の移動方向）に平行な方向の寸法を肉厚寸法（肉厚と称することもある）と定義した場合に、被覆部の肉厚より肉厚が小さい部分と定義でき、通常は、樹脂成形品の肉厚寸法の中で最も小さい部分であって、樹脂成形品が冷却収縮した際に肉厚寸法の変化が最も小さい部分である。また、この薄肉部の肉厚は、前述したように樹脂成形品の肉厚の中で最も小さい値としておくことが好ましいが、所望する樹脂成形品の形状により例外があって、例えば、樹脂成形品の形状が大きく湾曲する、あるいは箱型などであるような場合に、樹脂が冷却収縮しても肉厚が実質小さくならない部分がある場合は、その部分より薄肉部の肉厚が大きくても差し支えない。
【００４５】
さらに、本発明による型内被覆成形用金型の好ましい例として、他の実施形態を図８及び図９に示す。
ここで、図８に示す金型１２０は、図１で示した金型１００の凹部２３に相当する部分を別ピースの入れ子Ｂ１とし、該別ピースの入れ子Ｂ１の中に被覆部分と別系統の温調管（温水ライン）を配して、被覆部分の金型キャビティより金型温度を高く維持できるよう構成して、該樹脂成形品の被覆部分と被覆しない部分の境界に低収縮部Ｓ３を構成した金型である。金型１２０によれば、被覆する部分の金型温度を被覆しない部分の温度より高めることによって、被覆部における樹脂の冷却を遅らせることができる。
【００４６】
金型１２０を用いて本発明による型内被覆成形方法を実施した場合では、金型キャビティ１５に樹脂を射出充填した後、可動型１０を固定型２０方向に前進させると、冷却が遅れて収縮が進んでいない被覆部に充填されている樹脂に選択的集中的に圧力がかかる。
被覆部に充填されている樹脂に圧力がかかると、冷却が進んで容積が収縮している被覆しない部分に補償流動を始める。
そのため、時間が経過して冷却が進むと、樹脂の補償流動を受けた部分は収縮量が小さい低収縮部Ｓ３となる。
【００４７】
金型１２０は、入れ子Ｂ１によって該樹脂成形品の被覆部分と被覆しない部分の境界に低収縮部Ｓ３を形成し、低収縮部Ｓ３に充填した樹脂の冷却による収縮量を、被覆部分に充填した樹脂の冷却による収縮量より小さくすることができる。従い結果として被覆部分の金型キャビティ部分に空隙を形成する又は該被覆部分の金型キャビティ部分に充填した樹脂の圧力を該低収縮部に充填した樹脂の圧力より低下させることができ、図２に示した実施形態と同様の型内被覆成形方法を実施することが可能である。
なお、入れ子Ｂ１に用いることのできる温度調節機は、温調管（温水ライン）に限るものでなく、ヒータであっても良く、又その他の公知の温度調節機構を用いて良い。
【００４８】
また、図９に示す金型１３０は、図８で示した金型１２０と同様の効果を狙って、樹脂成形品の被覆部分と被覆しない部分の境界を形成する金型キャビティ部分に、別ピースの入れ子Ｂ２を配して、入れ子Ｂ２の中に被覆部分と別系統の温調管（温水ライン）を配して、被覆部分の金型キャビティより金型温度を低く維持できるよう構成して、被覆する部分と被覆しない部分の境界に低収縮部Ｓ４を形成した場合を示している。
金型１３０は、入れ子Ｂ２により低収縮部Ｓ４を形成して、該樹脂成形品の被覆部分と被覆しない部分の境界に充填した樹脂の冷却による収縮量を、被覆部分に充填した樹脂の冷却による収縮量より小さくすることができ、被覆部分の金型キャビティ部分に空隙を形成する又は該被覆部分の金型キャビティ部分に充填した樹脂の圧力を該低収縮部に充填した樹脂の圧力より低下させることができるので、図２に示した実施形態と同様の型内被覆成形方法を実施することが可能である。
なお、入れ子Ｂ２に用いることのできる温度調節機は、入れ子Ｂ２と同様に、ヒータであっても良く、又その他の公知の温度調節機構を用いて良い。
【００４９】
次に、図１０に示す金型１４０は、図１で示した金型１００の凹部２３に相当する部分を別ピースの入れ子Ｋ１とし、入れ子Ｋ１の金型材質を被覆しない部分を形成する金型キャビティの金型材質の熱伝導率より小さくすることにより、金型温度を高く維持できるよう構成して、被覆する部分と被覆しない部分の境界に低収縮部Ｓ５を構成した金型１４０である。図１０に示す実施形態では、被覆部以外を形成する金型キャビティの金型材質が通常の金型鋼に対し、入れ子Ｋ１の材質をセラミック（アルミナ）として、入れ子Ｋ１金型キャビティの金型材質の熱伝導率より小さくした。
なお、入れ子Ｋ１に用いることのできる金型材質は、前述の実施形態に限るものでなく、金型キャビティの材質として用いることができ、被覆部分より熱伝導率の低い材質であれば良い。
【００５０】
金型１４０によれば、被覆する部分の樹脂温度の低下を被覆しない部分の樹脂温度の低下より遅延させることによって、被覆部における樹脂の冷却を遅らせることができる。
金型１４０を用いて本発明による型内被覆成形方法を実施した場合、金型キャビティ１５に樹脂を射出充填した後、冷却が遅れている被覆部に充填されている樹脂には選択的集中的に圧力がかかり、冷却が進んで容積が収縮している被覆しない部分に補償流動を始める。その結果、図８に示した実施形態と同様に型内被覆成形方法を実施することが可能である。
なお、入れ子Ｋ１に、被覆部以外を形成する金型材質の熱伝達係数より、熱伝達係数が小さな金型材質を使用しても効果は期待できる。
【００５１】
また、図１１に示す金型１５０は、図１０で示した金型１２０と同様の効果を狙って、樹脂成形品の被覆部分と被覆しない部分の境界を形成する金型キャビティ部分に、被覆部分を形成する金型キャビティの金型材質より熱伝導率が大きい金型材質で形成した入れ子Ｋ２を配して、被覆する部分と被覆しない部分の境界に低収縮部Ｓ６を形成した場合を示している。図１１に示す実施形態では、被覆部の金型材質が通常の金型鋼に対して入れ子Ｋ２の材質を銅として、金型キャビティの金型材質の熱伝導率より大きくした。
なお、入れ子Ｋ２に用いることのできる金型材質は、前述の実施形態に限るものでなく、金型キャビティの材質として用いることができ、被覆部分より熱伝導率の大きい材質であれば良い。
【００５２】
金型１５０は、入れ子Ｋ２により低収縮部Ｓ６を形成して、該樹脂成形品の被覆部分と被覆しない部分の境界に充填した樹脂の冷却による収縮量を、被覆部分に充填した樹脂の冷却による収縮量より小さくすることができ、被覆部分の金型キャビティ部分に空隙を形成する又は該被覆部分の金型キャビティ部分に充填した樹脂の圧力を該低収縮部に充填した樹脂の圧力より低下させることができるので、図１０に示した実施形態と同様の型内被覆成形方法を実施することが可能である。
なお、入れ子Ｋ２に、被覆部以外を形成する金型材質の熱伝達係数より、熱伝達係数が大きい金型材質を使用しても効果は期待できる。
【００５３】
また、被覆部に充填した樹脂の冷却を、該樹脂成形品の被覆部分と被覆しない部分の境界に充填した樹脂の冷却より遅らせる他の金型構造として、例えば、図１２に例を示したように被覆部分と被覆しない部分の境界部の金型キャビティの断熱材を配するとか、図１３に示すように空隙部を形成する構造などであっても勿論良い。
図１３に示した構造で金型に空隙を形成することは、非常に簡単な金型構造で大きい断熱効果があることから、好ましい実施形態である。
【００５４】
なお、本発明において、低収縮部を形成するのに前述した薄肉、低温、又高熱伝導等の構造や機能を、複数個組み合わせて使用しても良いことは勿論である。
【図面の簡単な説明】
【００５５】
【図１】本発明の実施形態に係わる型内被覆成形用金型の構成を説明するため概略の構造を示した図である。
【図２】本発明の実施形態に係わる型内被覆成形方法の工程を説明するため金型挙動を概念的に示した図である。
【図３】被覆部分を形成する金型キャビティ面と対向する位置の金型キャビティ面に凹部を形成した場合の被覆の状態を説明するための概念図である。
【図４】境界部分を形成する金型キャビティ面に対向する位置の金型キャビティに凸部を形成した場合の被覆の状態を説明するための概念図である。
【図５】図１に示す金型の固定型を可動型方向から見た平面図とその要部断面図である。
【図６】図７に示す金型の固定型を可動型方向から見た平面図とその要部断面図である。
【図７】本発明による金型の実施形態に係り被覆部分と被覆しない部分の境界を形成する金型キャビティ面と対向する位置にある金型キャビティ面に凸部を配して低収縮部を形成した場合の構造を説明する断面図である。
【図８】本発明による金型の実施形態に係り樹脂成形品の被覆部分を形成する金型キャビティ部分に金型温度を高く維持する入れ子を配した場合の構造を説明する断面図である。
【図９】本発明による金型の実施形態に係り樹脂成形品の被覆部分と被覆しない部分の境界を形成する金型キャビティ部分に金型温度を低く維持する入れ子を配した場合の構造を説明する断面図である。
【図１０】本発明による金型の実施形態に係り樹脂成形品の被覆部分を形成する金型キャビティ部分を熱伝導率の小さい金属で形成した入れ子を配した場合の構造を説明する断面図である。
【図１１】本発明による金型の実施形態に係り樹脂成形品の被覆部分と被覆しない部分の境界を形成する金型キャビティに熱伝導率の大きな金属で形成した入れ子を配した場合の構造を説明する断面図である。
【図１２】本発明による金型の実施形態に係り樹脂成形品の被覆部分を形成する金型キャビティ部分断熱材を配した場合の構造を説明する断面図である。
【図１３】本発明による金型の実施形態に係り樹脂成形品の被覆部分と被覆しない部分の境界を形成する金型キャビティに空隙を形成した場合の構造を説明する断面図である。
【図１４】従来法による型内被覆成形方法の工程を説明するフローチャートである。
【符号の説明】
【００５６】
８      ゲート
１５    金型キャビティ
１０    可動型
２０    固定型
２３    凹部
２４    凸部
５０    塗料注入機
５１    塗料注入口
１００  型内被覆成形用金型（金型第実施形態１）
１１０  型内被覆成形用金型（金型第実施形態２）
１２０  型内被覆成形用金型（金型第実施形態３）
１３０  型内被覆成形用金型（金型第実施形態４）
１４０  型内被覆成形用金型（金型第実施形態５）
１５０  型内被覆成形用金型（金型第実施形態６）
１６０  型内被覆成形用金型（金型第実施形態７）
１７０  型内被覆成形用金型（金型第実施形態８）
Ｓ１    低収縮部（金型第実施形態１）
Ｓ２    低収縮部（金型第実施形態２）
Ｓ３    低収縮部（金型第実施形態３）
Ｓ４    低収縮部（金型第実施形態４）
Ｓ５    低収縮部（金型第実施形態５）
Ｓ６    低収縮部（金型第実施形態６）
Ｂ１    入れ子（金型第実施形態３）
Ｂ２    入れ子（金型第実施形態４）
Ｋ１    入れ子（金型第実施形態５）
ＫＳ    入れ子（金型第実施形態６）
【図１】
2005125595.tif 000003
【図２】
2005125595.tif 000004
【図３】
2005125595.tif 000005
【図４】
2005125595.tif 000006
【図５】
2005125595.tif 000007
【図６】
2005125595.tif 000008
【図７】
2005125595.tif 000009
【図８】
2005125595.tif 000010
【図９】
2005125595.tif 000011
【図１０】
2005125595.tif 000012
【図１１】
2005125595.tif 000013
【図１２】
2005125595.tif 000014
【図１３】
2005125595.tif 000015
【図１４】
2005125595.tif 000016